(57)【要約】      （修正有）【課題】操作部に対する装飾部材の取り付け強度を向上しつつ、意匠性を向上させた引き輪式留め具を提供する。【解決手段】引き輪式留め具１は、スリット１２を有する筒状部材１０と、スリット１２から操作部２２を突出させた状態で筒状部材１０内に配設され、筒状部材１０に沿って移動させることにより開口部１１を開閉することが可能な軸部材２０と、操作部２２に取り付けられた台座部材４０と、台座部材４０に取り付けられた装飾部材５０と、を備える。【選択図】図２
0003167615.tif 000002
【実用新案登録請求の範囲】
【請求項１】
両端間に開口部を有するように円弧状に形成され、長手方向に沿って設けられたスリットを有する筒状部材と、
前記スリットから操作部を突出させた状態で前記筒状部材内に配設され、該筒状部材に沿って移動させることにより前記開口部を開閉することが可能な軸部材と、
前記操作部に取り付けられた台座部材と、
前記台座部材に取り付けられた装飾部材と、を備えることを特徴とする引き輪式留め具。
【請求項２】
前記台座部材は、碗形に形成されていることを特徴とする請求項１に記載の引き輪式留め具。
【請求項３】
前記台座部材の底部には、前記操作部が挿入される挿入孔が設けられていることを特徴とする請求項２に記載の引き輪式留め具。
【考案の詳細な説明】
【技術分野】
【０００１】
本考案は、ネックレス、ブレスレット等の装身具の両端部を連結するために用いられる引き輪式留め具に関する。
【背景技術】
【０００２】
従来、引き輪式留め具として、開口部を有するように円弧状に形成された筒状部材と、上記円弧状の筒状部材内に配設され、円弧状筒内の長さ方向に移動させることにより筒状部材の開口部を開閉することが可能な軸部材と、を備えるものが知られている（特許文献１参照）。
この引き輪式留め具では、最近軸部材の操作部に、宝石、貴金属等の装飾部材を直接に取り付けることによって、意匠性を向上している。
【先行技術文献】
【特許文献】
【０００３】
【特許文献１】実用新案登録第３１２８１９７号公報
【考案の概要】
【考案が解決しようとする課題】
【０００４】
しかしながら、従来の引き輪式留め具では、装飾部材が操作部に直接取り付けられているため、操作部に対する装飾部材の取り付け強度が低く、装飾部材が操作部から外れる恐れがある。
ここで、従来、操作部に対する装飾部材の取り付け強度を向上するために、装飾部材に取り付け穴を設け、この取り付け穴に操作部を挿入することにより、また取り付け穴内に接着剤を塗布することによって、装飾部材を操作部に取り付ける方法が知られている。
【０００５】
しかしながら、この方法では、操作部と装飾部材との接触面積が僅かであることから接着剤が経時的に容易に剥離し、また装飾部材に取り付け穴を設ける必要があるため、装飾部材の価値が低下するとともに、装飾部材の意匠性が低下する恐れがある。
特に、透明の装飾部材を用いた場合、装飾部材の取り付け穴に挿入された操作部材を視認することが可能な状態となり、装飾部材の意匠性が低下する。
【０００６】
本考案の課題は、引き輪式留め具において、操作部に対する装飾部材の取り付け強度を向上しつつ、意匠性を向上することである。
【課題を解決するための手段】
【０００７】
上記課題を達成するために、第一の考案に係る引き輪式留め具は、両端間に開口部を有するように円弧状に形成され、長手方向に沿って設けられたスリットを有する筒状部材と、前記スリットから操作部を突出させた状態で前記筒状部材内に配設され、該筒状部材に沿って移動させることにより前記開口部を開閉することが可能な軸部材と、前記操作部に取り付けられた台座部材と、前記台座部材に取り付けられた装飾部材と、を備えることを特徴とする。
【０００８】
第一の考案に係る引き輪式留め具は、軸部材の操作部に取り付けられた台座部材と、台座部材に取り付けられた装飾部材と、を備える。
すなわち、第一の考案に係る引き輪式留め具では、装飾部材が、台座部材を介して操作部に取り付けられる。
したがって、第一の考案に係る引き輪式留め具では、装飾部材の形状に応じた台座部材を用いることによって、操作部に対する装飾部材の取り付け強度を向上することが可能となる。
また、第一の考案に係る引き輪式留め具では、装飾部材に取り付け穴を設ける等の加工（操作部に取り付けるための加工）を施す必要がないため、意匠性を向上することが可能となる。
【０００９】
第二の考案に係る引き輪式留め具は、第二の考案に係る引き輪式留め具において、前記台座部材は、碗形に形成されていることを特徴とする。
第二の考案に係る引き輪式留め具では、台座部材が碗形に形成されていることにより、台座部材に対する装飾部材の接触面積が増大して取り付け強度を向上でき、結果、操作部に対する装飾部材の取り付け強度をより向上することが可能となる。
【００１０】
第三の考案に係る引き輪式留め具は、第二の考案に係る引き輪式留め具において、前記台座部材の底部には、前記操作部が挿入される挿入孔が設けられていることを特徴とする。
第三の考案に係る引き輪式留め具では、台座部材の挿入孔に操作部が挿入された状態で、台座部材が操作部に取り付けられる。
したがって、第三の考案に係る引き輪式留め具によれば、操作部に対する台座部材の取り付け強度を向上することができ、結果、操作部に対する装飾部材の取り付け強度をより向上することが可能となる。
【考案の効果】
【００１１】
本考案によれば、操作部に対する装飾部材の取り付け強度を向上しつつ、意匠性を向上することが可能となる。
【図面の簡単な説明】
【００１２】
【図１】引き輪式留め具の平面図である。
【図２】開口部が閉鎖された状態の引き輪式留め具を示す部分断面図である。
【図３】開口部が開放された状態の引き輪式留め具を示す部分断面図である。
【図４】台座部材を示す斜視図である。
【考案を実施するための形態】
【００１３】
以下、本考案の実施形態について、図面を参照しながら説明する。
（引き輪式留め具１の構成）
図１は、引き輪式留め具の平面図である。図２は、開口部が閉鎖された状態の引き輪式留め具を示す部分断面図である。図３は、開口部が開放された状態の引き輪式留め具を示す部分断面図である。図４は、台座部材を示す斜視図である。
図１乃至３に示すように、本考案に係る引き輪式留め具１は、筒状部材１０と、筒状部材１０内に配設された軸部材２０及び付勢部材３０と、軸部材２０に取り付けられた台座部材４０と、台座部材４０に取り付けられた装飾部材５０と、を備えている。
【００１４】
筒状部材１０は、円筒形状の部材を円弧状に曲げることによって形成されている。筒状部材１０は、金属、樹脂等によって形成されている。筒状部材１０の両端は、それぞれ開口している。筒状部材１０の両端間には、開口部１１が設けられている。
筒状部材１０には、筒状部材１０の内側と外側とを連通させるスリット１２が設けられている。スリット１２は、筒状部材１０の長手方向（筒状部材１０の軸が延びる方向）に沿って延びている。
また、筒状部材１０の外面には、側面から見た形状がＵ字形の取付け部１３が設けられている。取付け部１３には、ネックレス、ブレスレット等の装身具の一方側の端部が取り付けられる。さらに、筒状部材１０の内側における長手方向の略中間部には、内壁１４が設けられている。
【００１５】
軸部材２０は、線材を折り曲げることによって形成されている。軸部材２０は、金属、樹脂等によって形成される。なお、軸部材２０は、プレス加工、鋳造、放電加工、レーザ加工等によって形成しても構わない。また軸部材２０は、前側軸部２１と、操作部２２と、後側軸部２３と、を有している。前側軸部２１、操作部２２及び後側軸部２３は、１本の線材により一連に形成されている。前側軸部２１及び後側軸部２３は、それぞれ、円弧状に形成されている。操作部２２は、線材が折り返されることによって、平面から見た形状がＵ字形となるように形成されている。
【００１６】
本実施形態では、付勢部材３０として、コイルばねが用いられている。
図１乃至４に示すように、台座部材４０は、碗形に形成されている。台座部材４０は、金属、樹脂等によって形成される。なお、台座部材４０の形状は、この台座部材４０に取り付けられる装飾部材５０の形状に応じて、適宜変更することが可能である。本実施形態では、装飾部材５０が例えば真珠などのように球形状であるため、台座部材４０を碗形に形成することが特に好適となっている。台座部材４０の底部には、挿入孔４１が設けられている。また、台座部材４０の外面には、ダイヤカット加工等の模様を付する処理が施されている。
【００１７】
装飾部材５０としては、上記した真珠などのほかに、ダイヤモンドなどの宝石類、プラチナ、金、銀などの加工貴金属類等を用いることができる。本実施形態では、球形状の宝石を用いている。
【００１８】
（引き輪式留め具１の組み立て方法）
次に、引き輪式留め具１の組み立て方法について説明する。
引き輪式留め具１を組み立てる際には、まず、付勢部材３０を、筒状部材１０の内側に挿入する。また、軸部材２０の前側軸部２１及び後側軸部２３を、スリット１２から筒状部材１０の内側に挿入する。これによって、軸部材２０が、スリット１２から操作部２２を突出させた状態で、筒状部材１０内に配設される。また、付勢部材３０が、軸部材２０の後側軸部２３の先端面と筒状部材１０の内壁１４との間に配設される。これによって、付勢部材３０が、軸部材２０を閉鎖側（開口部１１側）に向かって付勢する。
【００１９】
次に、軸部材２０の操作部２２に、台座部材４０を取り付ける。この際、台座部材４０は、挿入孔４１に操作部２２の先端部が挿入された状態で、操作部２２に取り付けられる。これによって、操作部２２に対する台座部材４０の取り付け強度を向上することができ、結果、操作部２２に対する装飾部材５０の取り付け強度をより向上することが可能となる。ここで、操作部２２に対する台座部材４０の取り付け方法は、接着、ロウ付け等の方法を用いることができる。
【００２０】
さらに、台座部材４０に、装飾部材５０を取り付ける。ここで、台座部材４０に対する装飾部材５０の取り付け方法は、材質如何により接着剤塗布あるいはロウ付け等の方法を用いることができる。この際、台座部材４０が碗形に形成されていることにより、台座部材４０に対する装飾部材５０の取り付け強度を向上でき、結果、操作部２２に対する装飾部材５０の取り付け強度を向上することが可能となる。
以上により、引き輪式留め具１の組み立てが完了する。
【００２１】
引き輪式留め具１では、装飾部材５０が、台座部材４０を介して操作部２２に取り付けられる。
これにより、引き輪式留め具１では、操作部２２に対する装飾部材５０の取り付け強度を向上することが可能となる。
特に、台座部材４０の形状を装飾部材５０の形状に応じたものとすることによって、操作部２２に対する装飾部材５０の取り付け強度をさらに向上することが可能となる。
また、引き輪式留め具１では、台座部材４０を用いることによって、装飾部材５０に取り付け穴を設ける等の加工（操作部２２に取り付けるための加工）を施す必要がないため、意匠性を向上することが可能となる。
【００２２】
（引き輪式留め具１の作用）
次に、引き輪式留め具１の作用について説明する。
引き輪式留め具１では、軸部材２０を筒状部材１０に沿って移動させることにより、筒状部材１０の開口部１１を開閉することが可能となっている。
そして、軸部材２０の移動は、軸部材２０に取り付けられている装飾部材５０を指で押すことによって行うことができる。この際、引き輪式留め具１では、装飾部材５０が台座部材４０を介して操作部２２に取り付けられていることにより、操作部２２に対する装飾部材５０の取り付け強度が向上しているため、装飾部材５０が操作部２２から外れることが防止される。
【００２３】
具体的には、引き輪式留め具１では、付勢部材３０が軸部材２０を閉鎖側に向かって付勢することによって、軸部材２０の前側軸部２１が筒状部材１０の開口部１１を閉鎖した状態となっている（図１及び図２参照）。この状態では、軸部材２０の操作部２２は、筒状部材１０のスリット１２の開口部１１側の端面に接触した状態で配置される。
【００２４】
そして、付勢部材３０による付勢に抗して、軸部材２０を開放側（取付け部１３側）に向かって移動させることによって、軸部材２０による開口部１０の閉鎖が解除され、開口部１０が開放される（図３参照）。
すなわち、スリット１２の開口部１１側の端面に接触した状態で配置されている操作部２２を、スリット１２の取付け部１３側の端面に向かって移動させることによって、開口部１０が開放される。
これにより、開放された開口部１０から、ネックレス、ブレスレット等の装身具の他方側の端部を筒状部材１０に取り付けることが可能となる。
【符号の説明】
【００２５】
１    引き輪式留め具
１０  筒状部材
１１  開口部
１２  スリット
１３  取付け部
１４  内壁
２０  軸部材
２１  前側軸部
２２  操作部
２３  後側軸部
３０  付勢部材
４０  台座部材
４１  挿入孔
５０  装飾部材
【図１】
0003167615.tif 000003
【図２】
0003167615.tif 000004
【図３】
0003167615.tif 000005
【図４】
0003167615.tif 000006